(57)【要約】      （修正有）【課題】スイミングプールからあふれた水を排水する為の溝部に用いる、耐久性の高い排水格子を提供する。【解決手段】格子１は複数のバー１０、複数のスペーサ要素２０、および２つの連結部材を含む。バー１０は、各バー１０を横切る方向に通って延びている２つの通路１２を有する。スペーサ要素２０は、各バー１０の間に位置し、バー１０の通路１２と並ぶ開口２２を有する。連結部材は、バー１０とスペーサ要素２０とを一緒にしっかり固定するために、バー１０の通路１２と開口２２とを通って伸びている。それゆえ、バー１０、スペーサ要素２０、および連結部材は、流体が流れることができる複数の開口４０を有し、かつ多数のスイミングプールの利用者を支える格子１を形成する。連結部材は、格子１をプール排水溝の端に沿ったカーブに配置できるようにする。【選択図】図１
0003146945.tif 000002
【実用新案登録請求の範囲】
【請求項１】
スイミングプールのあふれた水の排水溝のための格子において、
横切る方向にバーの中を通って延びる通路を有する複数のバーと、
上記通路と概ね揃っており、かつ上記複数のバーの間に位置する開口を有する複数のスペーサ要素と、
上記複数のバーおよび上記複数のスペーサ要素を一緒に固定するために、上記複数のバーの上記通路および上記複数のスペーサ要素の上記開口を通って伸びる連結部材とを備えることを特徴とする格子。
【請求項２】
上記連結部材はロープまたは弾性素材であることを特徴とする請求項１に記載の格子。
【請求項３】
上記複数のバーは、ＵＶ太陽光および化学的浸食に耐性があることを特徴とする請求項１に記載の格子。
【請求項４】
上記複数のバーは、木、非可塑性ポリビニルクロライドまたはステンレス鋼であることを特徴とする請求項３に記載の格子。
【請求項５】
上記スペーサ要素は、腐食耐性がある素材で作られていることを特徴とする請求項１に記載の格子。
【請求項６】
上記スペーサ要素は、アルミニウム、ステンレス鋼、またはポリエチレンで作られていることを特徴とする請求項５に記載の格子。
【請求項７】
上記格子の終端に位置するバーは、上記連結部材の終端を受け入れ、上記連結部の終端を上記格子の終端に位置するバーにしっかりと結合するために、少なくとも上記バーの一部を通って延びる固定穴を有することを特徴とする請求項１に記載の格子。
【請求項８】
上記格子の終端に位置するバーは、少なくとも上記連結部材の一部を受け入れるために、上記通路と上記固定穴との間に形成された溝を有することを特徴とする請求項７に記載の格子。
【請求項９】
上記格子の終端に位置するバーの上記溝、上記通路、および上記固定穴は、上記格子の終端に位置するバーのなめらかな外面を作るために、仕上げ素材によってふさがれていることを特徴とする請求項８に記載の格子。
【請求項１０】
上記仕上げ素材は、木材廃棄物および接着材でできていることを特徴とする請求項９に記載の格子。
【請求項１１】
スイミングプールのあふれた水の排水溝のための格子の形成方法であって、
横切る方向にバーの中を通って延びる通路を有する複数のバーと、上記通路と概ね揃っており、かつ上記複数のバーの間に位置する開口を有する複数のスペーサ要素と、連結部材とを設けるステップと、
上記複数のバーと上記複数のスペーサ要素とを一緒に固定するために、上記複数のバーの上記通路と上記複数のスペーサ要素の上記開口とに上記連結部材を通すステップとを有することを特徴とする格子の形成方法。
【請求項１２】
上記格子の終端に位置するバーに、少なくとも上記バーの一部を通って延びる固定穴と、上記通路および上記固定穴の間に形成される溝とを設けるステップと、
上記連結部材の終端を上記格子の終端に位置する上記バーにしっかりと結合するために、上記溝を通って上記固定穴に上記連結部材の終端を通すステップとをさらに有することを特徴とする請求項１１に記載の格子の形成方法。
【請求項１３】
上記格子の終端に位置する上記バーの概ねなめらかな外面を作るために、上記格子の終端に位置する上記バーの上記溝、上記通路、および上記固定穴を仕上げ素材によってふさぐステップをさらに有することを特徴とする請求項１２に記載の格子の形成方法。
【請求項１４】
上記仕上げ素材は、木材廃棄物および接着材でできていることを特徴とする請求項１３に記載の格子の形成方法。
【請求項１５】
上記連結部材は、ロープまたは弾性素材であることを特徴とする請求項１１に記載の格子の形成方法。
【請求項１６】
上記複数のバーは、ＵＶ太陽光および化学的浸食に耐性のあることを特徴とする請求項１１に記載の格子の形成方法。
【請求項１７】
上記複数のバーは、木、非可塑性ポリビニルクロライドまたはステンレス鋼であることを特徴とする請求項１６に記載の格子の形成方法。
【請求項１８】
上記スペーサ要素は、腐食耐性がある素材で作られていることを特徴とする請求項１１に記載の格子の形成方法。
【請求項１９】
上記スペーサ要素は、アルミニウム、ステンレス鋼、またはポリエチレンで作られていることを特徴とする請求項１８に記載の格子の形成方法。
【考案の詳細な説明】
【技術分野】
【０００１】
本考案は、スイミングプールの端の排水のための格子に関するものである。
【背景技術】
【０００２】
排水格子は、プールの周囲に延びているプール排水溝をカバーするために使用される。この格子は一般に、水を格子から排水溝へ流すための鎧板または開口を備えている。排水格子は典型的には、互いのバーを一緒に連結するためのプラスティックから作られた連結部を備えるＴ型またはＩ型のプラスティックバーから形成される。
【考案の開示】
【考案が解決しようとする課題】
【０００３】
排水格子は一般に、プールクリーニング化学物質または太陽光のような過酷な条件にさらされている。ある使用期間の後、排水格子のプラスティックは壊れやすくなることがあり、いつかは壊れてスイミングプールの利用者にとって危険な鋭いエッジが作られる。さらに、プラスティックは色あせることがあり、排水格子の美的価値が減少する。
【課題を解決するための手段】
【０００４】
本考案の一実施形態では、スイミングプールのあふれた水の排水溝のための格子を提供する。上記格子は、横切る方向にバーの中を通って延びる通路を有する複数のバーと、上記通路と概ね揃っており、かつ上記複数のバーの間に位置する開口を有する複数のスペーサ要素と、上記複数のバーおよび上記複数のスペーサ要素を一緒に固定するために、上記複数のバーの上記通路および上記複数のスペーサ要素の上記開口を通って伸びる連結部材とを含む。
【０００５】
別の側面では、スイミングプールのあふれた水の排水溝のための格子を形成する方法を提供する。上記方法は、横切る方向にバーの中を通って延びる通路を有する複数のバーと、上記通路と概ね揃っており、かつ上記複数のバーの間に位置する開口を有する複数のスペーサ要素と、連結部材とを設けるステップを有してもよい。上記方法は、上記複数のバーと上記複数のスペーサ要素とを一緒に固定するために、上記複数のバーの上記通路と上記複数のスペーサ要素の上記開口とに上記連結部材を通すステップをさらに含んでもよい。
【考案を実施するための最良の形態】
【０００６】
以下に説明の目的のために、空間の方向を示す用語が使われた場合、それは、添付の図面の中での方向、または他の下記の詳細な説明での記述を指すものとして、言及された実施形態と関係する。しかしながら、以下に記述される実施形態が、他の多くの変形および実施形態を仮定してもよいことは理解されるべきである。また、添付の図面に描かれた、またはここで説明された特定の格子は、単に典型的なものであり、限定されるものではないことも理解されるべきである。
【０００７】
図１〜７に示す一実施形態では、スイミングプールのあふれた水の排水溝のための格子１が開示される。この格子は複数のバー１０、複数のスペーサ要素２０、および２つの連結部材３０を含む。バー１０は、各バー１０を横切る方向に通って延びている２つの通路１２を有する。スペーサ要素２０は、各バー１０の間に位置し、バー１０の通路１２と並ぶ開口２２を有する。連結部材３０は、バー１０とスペーサ要素２０とを一緒にしっかり固定するために、バー１０の通路１２と開口２２とを通って伸びている。それゆえ、バー１０、スペーサ要素２０、および連結部材３０は、流体が流れることができる複数の開口４０を有し、かつ多数のスイミングプールの利用者を支える格子１を形成する。連結部材２０は、格子１をプール排水溝（図示せず）の端に沿ったカーブに配置できるようにする。さらに、図７に示すように、連結部材２０は、保管を容易にするために格子１を巻き取ることを可能にする。ある実施形態においては、プール排水溝（図示せず）の端に沿ったカーブに沿う格子１を形成するのを助けるために、２つ以上のスペーサ要素２０がバー１０の一端の間に配置され、バーの他端には１つのスペーサ要素２０だけが配置されていてもよい。また図１１に示すように、スイミングプールのあふれた水の排水溝の角の領域８０には、格子１を連結するために、角の領域８０に設置されたコーナー部品９０が設けられてもよい。コーナー部品９０は、星形、扇形、溝型、丸形または四角型のような打ち抜き穴を側面に有してもよい。
【０００８】
連結部材３０は、ロープ、スリング、弾性素材、または、バー１０とスペーサ要素とをしっかりと固定するために好適な他の任意の素材であってもよい。バー１０は、ステンレス鋼、非可塑性ポリビニルクロライド（ＵＰＶＣ）、木、または、ＵＶ太陽光および化学的浸食に抵抗のある他の任意の素材から作られてもよい。さらに、バー１０のための素材は、再利用されてバー１０の形成に利用される他の工程からの廃棄物または残留物であってもよい。バー１０が延長使用の後に壊れた場合、廃棄物または残留物の利用は、鋭い角または端部の形成を防ぐ。スペーサ要素２０はアルミニウム、ステンレス鋼、ポリエチレン（ＰＥ）または腐食抵抗のある好適な他の任意の素材から作られてもよい。
【０００９】
ある実施形態では、格子の終端６０に配置されたバー５０は、少なくともバー６０の一部を通って伸びる固定穴５４だけでなく、上で議論したような通路５２を含む。固定穴５４は、連結部材３０の終端を受け入れ、連結部材３０の終端をバー５０に強固に結びつけるための大きさをもつ。さらに、バー５０は、通路５２と少なくとも連結部材３０の一部を受け入れるための固定穴５４との間に形成された溝５６を含んでもよい。特に、図１および図５により明確に示すように、連結部材３０の終端は、バー１０の通路１２とバー５０の通路５２とを貫いて、トレンチ５６を通って固定穴５４の中に伸びている。通路５２、固定穴５４および溝５６は、バー５０のなめらかな外面５８を作るために、仕上げ素材によってふさがれていてもよい。仕上げ素材は木材廃棄物および接着材でできていてもよい。しかしながら、他の仕上げ素材が、バー１０に使用される特定の素材に対応して使用されてもよい。
【００１０】
他の実施形態では、図８〜１０に示されるように、バー５０に、プレスバンド７０を受け入れるためのカウンタボアが設けられている。プレスバンド７０は概円柱状であってもよく、プレスバンド７０を通って伸びる開口７２を有してもよい。連結部材３０の終端はバー１０の通路１２、バー５０の通路５２、およびプレスバンド７０の開口７２を貫通してもよい。連結部材３０の終端はそれから、溝５６を通って固定穴５４の中に伸びていてもよい。連結部材３０を通路５２の中でしっかりと固定するために、プレスバンド７０は圧力、熱またはエポキシを用いて連結部材３０にしっかりと固定される、または締め付けられる。プレスバンド７０は、バー１０およびスペーサ要素２０を一緒に締め付けるために、格子の終端６０から反対側にあるバー１０とともに使用されてもよい。カウンタボア５５、通路５２、固定穴５４、および溝５６は、上述したような仕上げ素材によってふさがれていてもよい。
【００１１】
さらに他の実施形態では、複数の格子１が、スイミングプールのあふれた水の排水溝のために設けられる。格子がその他の格子に対して移動しないように、結合部材（図示せず）が、各格子１の間に設けられてもよい。結合部材（図示せず）は、ステンレス鋼、アルミニウム、ＰＥ、または、化学的浸食およびＵＶ太陽光に耐えることができる好適な他の任意の素材でできていてもよい。
【００１２】
以上に、スイミングプールの排水溝に関連づけて格子１について議論したが、草に覆われた庭の上の歩道としての使用等の、他の目的に上記格子を利用することもできる。さらに、図１〜７に示し、上述したような格子１は、所望の長さを有する格子を製作するために、多数のバー１０およびスペーサ要素２０を含んでもよい。
【００１３】
格子のある実施形態について、上述の詳細な説明において説明したが、当業者は本考案の精神および範囲を外れることなくこれらの実施形態に修正および変更を加えることができるであろう。それゆえ、上述の説明は、制限ではなく説明することを意図してなされたものである。
【図面の簡単な説明】
【００１４】
【図１】本考案の一実施形態に関するあふれた水の排水溝のための格子の平面図である。
【図２】図１に示す格子の正面図である。
【図３】図１の線III-IIIに沿って得られる格子の断面図である。
【図４】図１の線IV-IVに沿って得られる格子の断面図である。
【図５】図１に示す格子の左側面図である。
【図６】図１に示す格子の、平らな姿勢の格子を示す斜視図である。
【図７】図１に示す格子の、部分的に巻かれた姿勢の格子を示す斜視図である。
【図８】本考案のさらなる実施形態に関するあふれた水の排水溝のための正面断面図である。
【図９】図８に示す格子の部分側面図である。
【図１０】図８に示す格子の部分平面図である。
【図１１】本考案の一実施形態に関するあふれた水の排水溝のためのコーナー部品の平面図である。
【図１】
0003146945.tif 000003
【図２】
0003146945.tif 000004
【図３】
0003146945.tif 000005
【図４】
0003146945.tif 000006
【図５】
0003146945.tif 000007
【図６】
0003146945.tif 000008
【図７】
0003146945.tif 000009
【図８】
0003146945.tif 000010
【図９】
0003146945.tif 000011
【図１０】
0003146945.tif 000012
【図１１】
0003146945.tif 000013
【手続補正書】
【提出日】平成20年9月25日(2008.9.25)
【手続補正１】
【補正対象書類名】実用新案登録請求の範囲
【補正対象項目名】全文
【補正方法】変更
【補正の内容】
【実用新案登録請求の範囲】
【請求項１】
スイミングプールのあふれた水の排水溝のための格子において、
横切る方向にバーの中を通って延びる通路を有する複数のバーと、
上記通路と概ね揃っており、かつ上記複数のバーの間に位置する開口を有する複数のスペーサ要素と、
上記複数のバーおよび上記複数のスペーサ要素を一緒に固定するために、上記複数のバーの上記通路および上記複数のスペーサ要素の上記開口を通って伸びる連結部材とを備えることを特徴とする格子。
【請求項２】
上記連結部材はロープまたは弾性素材であることを特徴とする請求項１に記載の格子。
【請求項３】
上記複数のバーは、ＵＶ太陽光および化学的浸食に耐性があることを特徴とする請求項１に記載の格子。
【請求項４】
上記複数のバーは、木、非可塑性ポリビニルクロライドまたはステンレス鋼であることを特徴とする請求項３に記載の格子。
【請求項５】
上記スペーサ要素は、腐食耐性がある素材で作られていることを特徴とする請求項１に記載の格子。
【請求項６】
上記スペーサ要素は、アルミニウム、ステンレス鋼、またはポリエチレンで作られていることを特徴とする請求項５に記載の格子。
【請求項７】
上記格子の終端に位置するバーは、上記連結部材の終端を受け入れ、上記連結部の終端を上記格子の終端に位置するバーにしっかりと結合するために、少なくとも上記バーの一部を通って延びる固定穴を有することを特徴とする請求項１に記載の格子。
【請求項８】
上記格子の終端に位置するバーは、少なくとも上記連結部材の一部を受け入れるために、上記通路と上記固定穴との間に形成された溝を有することを特徴とする請求項７に記載の格子。
【請求項９】
上記格子の終端に位置するバーの上記溝、上記通路、および上記固定穴は、上記格子の終端に位置するバーのなめらかな外面を作るために、仕上げ素材によってふさがれていることを特徴とする請求項８に記載の格子。
【請求項１０】
上記仕上げ素材は、木材廃棄物および接着材でできていることを特徴とする請求項９に記載の格子。